(57)【要約】【課題】  従来より測定精度が高い流量メータの提供を目的とする。【解決手段】  本発明の流量メータ１０によれば、整流器２０に設けられた鍔部８０の張り出し量を、メータケース１１の流入口１１Ａから離れるに従って小さくし、鍔部８０の周面とメータケース１１の内面との間の隙間のうち、流入口１１Ａから離れた側の隙間を従来品よりも広げることで、測定精度を従来よりも高くすることが可能であることが分かった。【選択図】  図６
2006029795.tif 000002
【特許請求の範囲】
【請求項１】
上下に延びた回転軸を中心に回転する羽根車と、その羽根車の同軸下側に配置された円筒状の整流器とをメータケースに収容すると共に、
前記整流器の側面及び下面開口を前記メータケースの内面から浮かせた状態にして、前記整流器の上面開口の縁部を前記メータケースの内面に接合し、
前記メータケースには１対の側部開口が設けられ、
一方の前記側部開口から前記整流器、前記羽根車、他方の前記側部開口へと流体が流れるようにした流量メータにおいて、
前記整流器の下面開口の縁部から側方に張り出した鍔部が設けられ、
前記鍔部は、前記一方の側部開口に近い側と遠い側とで張り出し量が異なることを特徴とする流量メータ。
【請求項２】
前記鍔部は、前記一方の側部開口から離れるに従って張り出し量が小さくなるように形成されたことを特徴とする請求項１に記載の流量メータ。
【請求項３】
前記鍔部は、前記一方の側部開口から離れるに従って張り出し量が大きくなるように形成されたことを特徴とする請求項１に記載の流量メータ。
【請求項４】
前記整流器は、円筒壁の内側領域に放射状の区画壁を備え、
前記区画壁は、前記円筒壁の内側領域のうち、隣接した２つの前記区画壁で挟まれた領域の広さが、前記一方の側部開口から離れるに従って大きくなるように配設されたことを特徴とする請求項１乃至３の何れかに記載の流量メータ。
【請求項５】
前記整流器の上面開口の縁部と前記メータケースの内面との接合位置を位置決めする位置決め手段を備えたことを特徴とする請求項１乃至４の何れかに記載の流量メータ。
【請求項６】
前記位置決め手段は、前記メータケースと前記整流器とが接合された状態において凹凸係合する凹凸係合部であることを特徴とする請求項５に記載の流量メータ。
【請求項７】
前記メータケースの内面のうち前記一方の側部開口から離れた側には、前記メータケースの内側に突出したリブが設けられ、
前記鍔部のうち張り出し量が最も小さい部分が前記一方の側部開口から離れた側に配置された場合に、前記鍔部は前記リブと離間すると共に、
前記鍔部のうち張り出し量が最も小さい部分が前記一方の側部開口から離れた側に配置されていない場合に、前記鍔部は前記リブと干渉するように構成されたことを特徴とする請求項２に記載の流量メータ。
【発明の詳細な説明】
【技術分野】
【０００１】
本発明は、流量メータに関する。
【背景技術】
【０００２】
従来の流量メータとして、図９に示す羽根車式流量メータが知られている。この流量メータ１は、ケース２内に流体を受けて回転する羽根車３を備え、その羽根車３の回転に基づいて流量を測定している。そして、ケース２内の羽根車３よりも上流側に、羽根車３に向かって流れる流体を整流するための整流器４を備えたものがあった（例えば、特許文献１参照）。
【特許文献１】特開平１０−１７０３１３号公報（段落［００１２］、図１）
【発明の開示】
【発明が解決しようとする課題】
【０００３】
ところで、近年、より高度な測定性能を有する流量メータが求められている。しかしながら、上述した従来の流量メータでは、流量による器差のばらつきが大きく、精度が低かった。
【０００４】
本発明は、上記事情に鑑みてなされたもので、従来より測定精度が高い流量メータの提供を目的とする。
【課題を解決するための手段】
【０００５】
上記目的を達成するため、請求項１に係る流量メータは、上下に延びた回転軸を中心に回転する羽根車と、その羽根車の同軸下側に配置された円筒状の整流器とをメータケースに収容すると共に、整流器の側面及び下面開口をメータケースの内面から浮かせた状態にして、整流器の上面開口の縁部をメータケースの内面に接合し、メータケースには１対の側部開口が設けられ、一方の側部開口から整流器、羽根車、他方の側部開口へと流体が流れるようにした流量メータにおいて、整流器の下面開口の縁部から側方に張り出した鍔部が設けられ、鍔部は、一方の側部開口に近い側と遠い側とで張り出し量が異なるところに特徴を有する。
【０００６】
請求項２の発明は、請求項１に記載の流量メータにおいて、鍔部は、一方の側部開口から離れるに従って張り出し量が小さくなるように形成されたところに特徴を有する。
【０００７】
請求項３の発明は、請求項１に記載の流量メータにおいて、鍔部は、一方の側部開口から離れるに従って張り出し量が大きくなるように形成されたところに特徴を有する。
【０００８】
請求項４の発明は、請求項１乃至３の何れかに記載の流量メータにおいて、整流器は、円筒壁の内側領域に放射状の区画壁を備え、区画壁は、円筒壁の内側領域のうち、隣接した２つの区画壁で挟まれた領域の広さが、一方の側部開口から離れるに従って大きくなるように配設されたところに特徴を有する。
【０００９】
請求項５の発明は、請求項１乃至４の何れかに記載の流量メータにおいて、整流器の上面開口の縁部とメータケースの内面との接合位置を位置決めする位置決め手段を備えたところに特徴を有する。
【００１０】
請求項６の発明は、請求項５に記載の流量メータにおいて、位置決め手段は、メータケースと整流器とが接合された状態において凹凸係合する凹凸係合部であるところに特徴を有する。
【００１１】
請求項７の発明は、請求項２に記載の流量メータにおいて、メータケースの内面のうち一方の側部開口から離れた側には、メータケースの内側に突出したリブが設けられ、鍔部のうち張り出し量が最も小さい部分が一方の側部開口から離れた側に配置された場合に、鍔部はリブと離間すると共に、鍔部のうち張り出し量が最も小さい部分が一方の側部開口から離れた側に配置されていない場合に、鍔部はリブと干渉するように構成されたところに特徴を有する。
【発明の効果】
【００１２】
［請求項１，２，３，４の発明］
上記のように構成した請求項１の流量メータによれば、一方の側部開口からメータケース内に流入した流体は、メータケースの内面と整流器の側面との隙間を通って整流器の側方の全体に行き渡り、メータケースの内面と整流器の下面開口との隙間から整流器の内側に流入する。そして、整流器の内側を通過した流体が羽根車に供給され、羽根車はこの流体を受けて回転する。
【００１３】
そして、整流器の下面開口の縁部に形成された鍔部の張り出し量は、一方の側部開口に近い側と遠い側とで異なるので、鍔部が整流器の縁部の全周に均一に張り出している場合に比較して、測定精度を高くすることができた。
【００１４】
ここで、鍔部は、一方の側部開口から離れるに従って張り出し量が小さくなるようにしてもよい（請求項２の発明）。また、鍔部は、一方の側部開口から離れるに従って張り出し量が大きくなるようにしてもよい（請求項３の発明）。
【００１５】
特に、整流器の下面開口とメータケースの内面との間隔が比較的小さい場合には、鍔部は、一方の側部開口から離れるに従って張り出し量が小さくなるように形成することが好ましい。また、整流器の下面開口とメータケースの内面との間隔が比較的大きい場合には、鍔部は、一方の側部開口から離れるに従って張り出し量が大きくなるように形成することが好ましい。
【００１６】
また、整流器は、円筒壁の内側領域に放射状の区画壁を備え、区画壁は、円筒壁の内側領域のうち、隣接した２つの区画壁で挟まれた領域の広さが、一方の側部開口から離れるに従って大きくなるように配設すれば、より効果的に測定精度を高めることができる（請求項４の発明）。
【００１７】
［請求項５，６の発明］
請求項５の発明によれば、整流器の上面開口の縁部とメータケースの内面との接合位置を容易に位置決めすることができる。ここで、位置決め手段を、メータケースと整流器とが接合された状態において凹凸係合する凹凸係合部とすれば、整流器の接合位置からの位置ずれを防止できる（請求項６の発明）。
【００１８】
［請求項７の発明］
請求項７の発明によれば、メータケースの内面のうち一方の側部開口から離れた側にはリブが設けられ、鍔部のうち、最も張り出し量が小さい部分が一方の側部開口から離れた側に配置されていない場合には、鍔部がリブと干渉して整流器をメータケースの内面に取り付けることが不可能となる。これにより、鍔部の最も張り出し量の小さい部分を、確実に一方の側部開口から離れた側に配置することができる。
【発明を実施するための最良の形態】
【００１９】
［第１実施形態］
以下、本発明の第１実施形態を図１乃至図７に基づいて説明する。
本発明の流量メータ１０は、所謂、縦型の軸流羽根車式流量メータであって、水道管の途中に取り付けられるメータケース１１（図１参照）に図２に示したメータ本体１２を組み付けてなる。
【００２０】
メータケース１１には、図１における左側に開放した流入口１１Ａ（本発明の「一方の側部開口」に相当する）と、右側に開放した流出口１１Ｂ（本発明の「他方の側部開口」に相当する）とが形成され、その流入口１１Ａから下方に延びた下側部屋１３と、下側部屋１３の上方に位置した上側部屋１４とが備えられている。また、これら上側部屋１４と下側部屋１３とが、連通口１６を介して上下方向で連通している。そして、上側部屋１４の上面に形成された上面開口１５にメータ本体１２が上方から挿入組付され、そのメータ本体１２の下端寄り部分が連通口１６の縁部１６Ａに接合されている。
【００２１】
さて、メータ本体１２のうち、図２における符号５０は筒型ハウジングであって、上下に並べた１対の円筒部５０Ａ，５０Ｂの間を複数のリブ５２で連結してなる。下側円筒部５０Ｂは上下に開放しており、この下側円筒部５０Ｂ内には、羽根車４０の羽根４３が収容されると共に、下側円筒部５０Ｂの下部には、整流器２０が接合されている。
【００２２】
図１に示すように、メータ本体１２の下端寄り部分、詳細には、整流器２０の側面２０Ｓと下面は、下側部屋１３内でメータケース１１の内面から浮いた状態となっている。そして、図１の太線矢印で示したように、メータケース１１の下側部屋１３から整流器２０、下側円筒部５０Ｂの順に上方に向かって流れた水が下側円筒部５０Ｂの上面からリブ５２，５２の間を通って、メータケース１１の上側部屋１４に進み、流出口１１Ｂに向かう。
【００２３】
図２に示すように、上側円筒部５０Ａの下面には、下側円筒部５０Ｂの中心に向かって先細りとなるように軸収容部５３が垂下しており、軸収容部５３の内側には、羽根車４０から延びたシャフト４１が収容されている。
【００２４】
一方、上側円筒部５０Ａの上面には、メータユニット６０が取り付けられ、このメータユニット６０は、羽根車４０の回転に連動して流量メータ１０を通過した水の積算流量を計数して表示する。なお、メータユニット６０の上部に備えた上蓋６１を開けるとガラス窓６２を通して積算表示部を見ることができる。
【００２５】
図３には、羽根車４０のみが示されている。同図に示すように羽根車４０は、例えば１２枚の羽根４３を円筒体４２の外周面から放射状に張り出して備える。各羽根４３は、図３における上方、即ち下流側から見たときに、各羽根４３の上端縁４３Ａに対して下端縁４３Ｂが、反時計回りの方向に先行して、羽根４３全体がねじれた形状になっている。これにより、上流（各羽根４３の下端縁４３Ｂ側）から羽根４３に水圧がかかると、羽根４３の下端縁４３Ｂが先行するように羽根車４０が回転する。即ち、羽根車４０は上方から見て反時計回りの方向に回転する。
【００２６】
シャフト４１は、円筒体４２の底面中央部から上方に垂直に立ち上がっており、シャフト４１と円筒体４２の内側面との間がリブ４６で補強されている。
【００２７】
図２に示すように、シャフト４１の芯部には、下端開放の空洞が形成され、その空洞内の上端寄り位置に軸受け４７が組み付けられている。そしてシャフト４１の下端から空洞内に、後述する整流器２０に備えた支持ピン２１が挿入されて、その支持ピン２１の先端が軸受け４７に突き当てられている。
【００２８】
シャフト４１の上端部には、マグネットカップリング４４を覆うようにしてキャップ４５が取り付けられており、このキャップ４５の中心部には、凸部４８が形成されている。そして、メータユニット６０のうち、この凸部４８と対向した位置には、軸受け部材４９が備えられている（図２を参照）。これにより羽根車４０の回転がメータユニット６０のギア６４の回転として伝達される。
【００２９】
さて、整流器２０は、図４に示すように、円筒状の筒体２７（本発明の「円筒壁」に相当する）の内側中央に、中心整流体２２を備え、中心整流体２２から筒体２７に向かって例えば６枚の整流壁７０（本発明の「区画壁」に相当する）が放射状に延びた構造をなしている。
【００３０】
筒体２７は、上下に開放しており、その上面開口の縁部には側方に張り出したフランジ部３６が形成されている。このフランジ部３６が前記メータケース１１内に形成された連通口１６の縁部１６Ａに接合することで、メータ本体１２がメータケース１１内に固定されると共に、前述の如く、整流器２０の側面２０Ｓと下面開口２０Ｋとがメータケース１１の内面から浮いた状態となっている。ここで、図示しないが、フランジ部３６と連通口１６の縁部１６Ａとの当接部分には、整流器２０に備えた後述する鍔部８０が所定の配置となるように整流器２０とメータケース１１との接合位置を位置決めする凹凸係合部が備えられている。これにより、整流器２０とメータケース１１との接合位置の位置決めが容易となると共に、整流器２０の接合位置からの位置ずれを防止できる。
【００３１】
筒体２７の上端縁には、スライドリング３２が組み付けられている。具体的には、スライドリング３２には、例えば、１８０°離れた２箇所に長孔３５，３５が形成され、これら長孔３５，３５に挿入したねじを筒体２７の上端部に螺合してある。そして、ねじを緩めることで、スライドリング３２を筒体２７上で回動可能とし、所望の位置でねじを締めることで、スライドリング３２を筒体２７に固定することができる。
【００３２】
中心整流体２２は、筒体２７の上端（下流側の端部）寄り位置に配置されている。中心整流体２２は、下方に向かって丸みを帯びて先細りとなったドーム状をなす。また、ドームの中心部、即ち中心整流体２２の中心部には、上下方向に貫通した支持孔２２Ｕが形成されており、この支持孔２２Ｕには、軸芯部２２Ａが固定されている。そして軸芯部２２Ａの上端からは垂直に支持ピン２１（本発明の「回転軸」に相当する）が起立しており、その支持ピン２１は、前述の如くシャフト４１の空洞内に挿入されて、羽根車４０を回転可能に支持している。なお、軸芯部２２Ａからは、例えば６つのリブ２６が放射状に延び、これらリブ２６の延長線上に整流壁７０が形成されている。
【００３３】
複数の整流壁７０は、以下のようである。即ち、図６に示すように整流器２０をメータケース１１内に取り付けた状態において、隣接した２つの整流壁７０，７０同士の間隔が、流入口１１Ａから離れるに従って次第に広くなるように配置されている。換言すれば、筒体２７の内側領域のうち、隣接した２つの整流壁７０，７０で挟まれた部分の広さが、流入口１１Ａから離れるに従って次第に広くなるように配置されている。
【００３４】
複数の整流壁７０は、上下方向に関しては筒体２７の軸線方向に平行になっている。また、整流壁７０の下端縁は、中心整流体２２から筒体２７に向かうに従って次第に下方へ向うように傾斜しており、整流壁７０の筒体２７側の下端縁７０Ｕは、中心整流体２２の下端部よりも下側に位置している。そして、例えば、複数（６つ）の整流壁７０のうち、最も流入口１１Ａに近い位置の整流壁７０Ａ，７０Ａと、最も流入口１１Ａから遠い位置の整流壁７０Ｃ，７０Ｃとの間に設けられた整流壁７０Ｂ，７０Ｂには、可動翼２９が備えられている（図４を参照）。
【００３５】
可動翼２９を備えた整流壁７０Ｂは、筒体２７寄りの部分に、羽根車４０に向かって開放した凹所７１を有する。可動翼２９は、凹所７１に対応した略矩形平板状をなし、凹所７１内に組み付けられている。詳細には、筒体２７の外側面から挿入されたピン３４が可動翼２９の下端部に差し込まれて、このピン３４を中心にして可動翼２９が傾動可能となっている。可動翼２９の上端部には、スライドリング３２に形成された横溝３３，３３内に向けてエンボス３０が張り出されて係合している。これにより、スライドリング３２の回転に伴って、両可動翼２９，２９が対称的に傾動する。
【００３６】
さて、図４に示すように、整流器２０のうち筒体２７の下端部（下面開口２０Ｋの縁部）には、側方に張り出した鍔部８０が設けられている。鍔部８０は、外周面が円形をなし、その外周面の中心は筒部２７の中心よりも流入口１１Ａ側に偏心している（図６を参照）。詳細には、図６に示すように、鍔部８０の流入口１１Ａに最も近い部分の張り出し量が最大となっており、この部分から離れる（流入口１１Ａから離れる）に従って、張り出し量が次第に小さくなっている。そして、流入口１１Ａから最も離れた部分（流入口１１Ａに最も近い部分から１８０°離れた部分）において、張り出し量が最小となっている。これにより、鍔部８０の周面とメータケース１１の内面との間の隙間のうち、流入口１１Ａから離れた側の隙間が従来よりも広くなっている。なお、本実施形態では、流入口１１Ａから最も離れた部分において、鍔部８０の周面と筒体２７の周面とが面一となっている。
【００３７】
次に上記構成からなる本実施形態の動作を説明する。
図１及び図６の太線矢印で示したように、メータケース１１の流入口１１Ａより下側部屋１３に流入した水は、整流器２０の側面とメータケース１１の内面との間の隙間を通って整流器２０の側方の全体に行き渡り、下面開口２０Ｋの周方向の全体から、整流器２０の内側に流入する。整流器２０の内側に流入した水は、整流壁７０（７０Ａ，７０Ｂ，７０Ｃ）に沿って流れ、羽根車４０へと向かう。そして羽根車４０は、整流壁７０（７０Ａ，７０Ｂ, ７０Ｃ）に案内された水を各羽根４３で受けて回転する。羽根車４０を通過した水は、筒型ハウジング５０のリブ５２，５２の間からメータ本体１２の側方に流出し、メータケース１１の上側部屋１４を経て流出口１１Ｂへと向かう。そして羽根車４０の回転はマグネットカップリング４４、４４を介してメータユニット６０に伝達され、水の流量が計測表示される。
【００３８】
［実施例］
整流器の形状を上記第１実施形態と同一形状とした本発明の実施品としての流量メータ（以下、適宜「実施品」という）と、整流器において鍔部の張り出し量が筒体２７の周方向で均一である点のみが上記第１実施形態と異なる従来の流量メータ（以下、適宜「従来品」という）とを製作した。ここで、従来品に備えられた整流器の鍔部の張り出し量は、実施品に備えられた整流器２０の鍔部８０のうち、最も張り出した部分（流入口１１Ａに最も近い部分）の張り出し量と同じとなっている。
【００３９】
次いで、これら各流量メータ（実施品、従来品）に予め設定した流量で通水し、各設定流量値における各流量メータの計量値を求めた。
【００４０】
さらに、設定流量毎に各流量メータ（実施品、従来品）の器差を算出して図７に示すようにグラフ（器差曲線）化した。
【００４１】
ここで「器差」は、計量値をＸ、真実値をＹとしたときに、次式によって求められる。
【００４２】
器差（％）＝（（Ｘ−Ｙ）／Ｙ）・１００
【００４３】
なお、各流量メータ（実施品、従来品）には可動翼２９が設けられており、本実験において各可動翼２９は、ほぼ垂直に設定されている。
【００４４】
図７のグラフに基づき実施品と従来品とを比較すると、従来品では、流量が１００〜１２００Ｌ／ｈ及び２３００〜２００００Ｌ／ｈの場合に、器差が±１％以内となったが、、流量が１２００〜２３００Ｌ／ｈの場合に、器差が−１％を越えている。なお、これは、整流器の下面開口から流入する水の量が、メータケース１１の流入口１１Ａに近い側と遠い側とで偏り、羽根車４０の回転が不安定になった為と推測される。
【００４５】
これに対し、実施品では、小流量域から大流量域（１００〜２００００Ｌ／ｈ）に亘って、器差を±１％以内とすることができ、器差曲線の直線性が従来品よりも向上することが分かった。なお、これは、整流器２０に設けられた鍔部８０の張り出し量を、メータケース１１の流入口１１Ａから離れるに従って小さくし、鍔部８０の周面とメータケース１１の内面との間の隙間のうち、流入口１１Ａから離れた側の隙間を従来品よりも広げることで、下面開口２０Ｋの流入口１１Ａから離れた側の部分からも水が流入し易くなり、羽根車４０の回転が安定したからと推測される。
【００４６】
このことから、整流器２０に備えた鍔部８０の張り出し量を、メータケース１１の流入口１１Ａから離れるに従って小さくすることで、流量メータの測定精度を従来よりも高くすることが可能であることが分かった。
【００４７】
また、図７に示すように、実施品では、微流領域（２０〜９０Ｌ／ｈ）において、従来品に比べて器差が改善される（０％に近づく）ことが分かった。
【００４８】
［第２実施形態］
図８は本発明の第２実施形態を示す。
この第２実施形態は、メータケースの構造を上記第１実施形態とは異なる構造としたものである。その他の構成については上記第１実施形態と同じであるため、同じ構成については、同一符号を付し、重複する説明は省略する。
【００４９】
図８の（Ａ）に示すように、本実施形態のメータケース１１の内面のうち、流入口１１Ａから離れた側の底面からは、メータケース１１の内側に向かって突出したリブ９０が形成されている。そして、整流器２０が正規の位置に取り付けられた状態、即ち、鍔部８０の最も張り出し量の小さい部分がメータケース１１の流入口１１Ａから離れた側に配置された状態では、リブ９０と整流器２０の下端部とが離間するようになっている。
【００５０】
一方、整流器２０が正規の位置から周方向にずれた状態で連通口１６に挿入された場合には、図８の（Ｂ）に示すように、鍔部８０がリブ９０と干渉するので、整流器２０のフランジ３６と連通口１６の縁部１６Ａとを接合させることができず、整流器２０（メータ本体１２）をメータケース１１に取り付けることが不可能となる。
【００５１】
つまり、本実施形態によれば、整流器２０の鍔部８０の最も張り出し量の小さい部分を、メータケース１１の流入口１１Ａから最も離れた側に確実に配置することができる。
【００５２】
また、鍔部が周方向で均一に張り出した従来の整流器は、上記したように、リブ９０を備えたメータケース１１にそのまま取り付けることができないので、メータケース１１又は整流器の何れか一方に追加加工を施して、干渉を避けるという作業が必要となるが、本実施形態の整流器２０であれば、メータケースのリブの有無に関係なく、そのまま取り付けることが可能となる。つまり、整流器２０を複数種類のメータケースに対してそのまま共通使用することが可能となると共に、整流器２０の取り付け作業が容易となる。
【００５３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）上記第１及び第２実施形態のように、鍔部８０の流入口１１Ａから最も離れた部分（流入口１１Ａに最も近い部分から１８０°離れた部分）において、鍔部８０の周面と筒体２７の周面とが面一となることが好ましいが、鍔部８０の張り出し量が、流入口１１Ａから離れるに従って次第に小さくなっていればよく、鍔部８０の流入口１１Ａから最も離れた部分が筒体２７の周面から側方に張り出していてもよい。なお、鍔部を上記第１及び第２実施形態のようにすれば、特に効果的に測定精度を高めることができる。
【００５４】
（２）上記第１及び第２実施形態では、整流器２０とメータケース１１との接合位置を位置決めする位置決め手段として、フランジ部３６と連通口１６の縁部１６Ａとに、互いに凹凸係合する凹凸係合部が備えられていたが、位置決め手段は、これに限るものではなく、例えば、フランジ部３６と連通口１６の縁部１６Ａとに１対の磁石を備えた構成でもよい。
【００５５】
（３）上記第１及び第２実施形態にように、隣接した２つの整流壁７０，７０同士の間隔が、流入口１１Ａから離れるに従って広がるように配置することが好ましいが、複数の整流壁を一定間隔（例えば、整流壁が６枚であれば、６０°間隔）で配置してもよい。また、整流壁７０の数は６枚が好ましいが、これに限るものではない。なお、整流壁の構成を上記第１及び第２実施形態のようにすれば、特に効果的に測定精度を高めることができる。
【００５６】
（４）上記第１及び第２実施形態では、整流壁７０Ｂに可動翼２９を備えていたが、可動翼を備えていなくてもよい。
【００５７】
（５）上記第１及び第２実施形態のように、羽根車４０の外径が上流側の端部から下流側の端部に向かうに従って縮径していることが好ましいが、羽根車の外径は上流側の端部から下流側の端部まで一定であってもよい。
【００５８】
（６）整流器２０の下面開口２０Ｋとメータケース１１の底面との間隔が比較的小さい場合には、上記第１及び第２実施形態のように、鍔部８０の張り出し量を流入口１１Ａから離れるに従って小さくなるように形成することで、効果的に測定精度を向上することができるが、整流器２０の下面開口２０Ｋとメータケース１１の底面との間隔が比較的大きい場合には、鍔部８０の張り出し量を流入口１１Ａから離れるに従って大きくなるように形成することで、効果的に測定精度を向上することができる。
【図面の簡単な説明】
【００５９】
【図１】本発明の第１実施形態に係る流量メータの側断面図
【図２】メータ本体の断面図
【図３】羽根車の斜視図
【図４】整流器の斜視図
【図５】流量メータの断面図
【図６】流量メータの底断面図
【図７】実施例に対する実験結果を示したグラフ
【図８】第２実施形態に係る流量メータの側断面図
【図９】従来の流量メータの側断面図
【符号の説明】
【００６０】
１０    流量メータ
１１    メータケース
１１Ａ    流入口（一方の側部開口）
１１Ｂ    流出口（他方の側部開口）
２０    整流器
２１    支持ピン（回転軸）
２７    筒体（円筒壁）
４０    羽根車
７０    整流壁（区画壁）
８０    鍔部
９０    リブ
【図１】
2006029795.tif 000003
【図２】
2006029795.tif 000004
【図３】
2006029795.tif 000005
【図４】
2006029795.tif 000006
【図５】
2006029795.tif 000007
【図６】
2006029795.tif 000008
【図７】
2006029795.tif 000009
【図８】
2006029795.tif 000010
【図９】
2006029795.tif 000011